(57)【要約】【課題】  アタッチメントの着脱を行うこと無く整髪機能の変更を容易に行えるヘアカッター用のアタッチメントを提供する。【解決手段】  所定の幅で毛髪を切断する刃部１２を本体１１の一端に有するヘアカッター１に装着するヘアカッター１用のアタッチメント２であり、上記アタッチメント２は、刃部１２の一部を覆い刃部１２への毛髪の導入量を調節する複数の整髪部２４と、上記整髪部２４の切替を行う切替部２２と、を備えたものであり、上記切替部２２が上記ヘアカッター１の本体１１からアタッチメント２および整髪部２４を取り外すことなく上記整髪部２４の切替を行うものである。これにより、アタッチメント２の交換等のアタッチメント２の着脱を行うことなく、切替部２２を介して整髪部２４を変更するだけで整髪機能の変更を行うことができる。【選択図】        図１
2010131267.tif 000002
【特許請求の範囲】
【請求項１】
所定の幅で毛髪を切断する刃部を本体の一端に有するヘアカッターに装着するヘアカッター用のアタッチメントであり、上記アタッチメントは、刃部の一部を覆い刃部への毛髪の導入量を調節する複数の整髪部と、上記整髪部の切替を行う切替部と、を備えたものであり、上記切替部が上記ヘアカッターの本体からアタッチメントおよび整髪部を取り外すことなく上記整髪部の切替を行うものであることを特徴とするアタッチメント。
【請求項２】
前記アタッチメントが切替部により回転する一つのアタッチメント部材を備えており、上記アタッチメント部材に前記複数の整髪部が設けてあり、上記アタッチメント部材が前記切替部により回転することで整髪部の切替を行うものであることを特徴とする請求項１記載のアタッチメント。
【請求項３】
前記切替部が前記ヘアカッターの本体に直交する回転軸を有しており、前記アタッチメント部材が上記回転軸の軸周りに回転することで整髪部の切替を行うものであることを特徴とする請求項２記載のアタッチメント。
【請求項４】
前記アタッチメント部材が外周の各辺に夫々整髪部を有する多角形状のものであることを特徴とする請求項２または請求項３に記載のアタッチメント。
【請求項５】
前記アタッチメントが切替時の前記整髪部の位置決めおよび前記整髪部の保持を行う保持部を備えたものであることを特徴とする請求項１〜４のいずれか一項に記載のアタッチメント。
【請求項６】
前記アタッチメントが前記刃部を覆っている整髪部以外の残りの整髪部を覆うカバー部材を備えたものであることを特徴とする請求項１〜５のいずれか一項に記載のアタッチメント。
【請求項７】
前記アタッチメントが毛髪切断時および前記切替部による切替時に係る応力で前記整髪部が本体および刃部へ接触することを防止するリブを備えたものであることを特徴とする請求項１〜６のいずれか一項に記載のアタッチメント。
【発明の詳細な説明】
【技術分野】
【０００１】
本発明は、ヘアカッター用のアタッチメントに関し、詳しくは複数の整髪機能を有するヘアカッター用のアタッチメントに関するものである。
【背景技術】
【０００２】
従来、毛髪等を切断するヘアカッターにおいて、特許文献１に示すように、ヘアカッター用のアタッチメントに設けた櫛部の整髪部の刃部に対する突出量を調節することで、刃部に導入される毛髪の長さを調節して、毛髪の刈上げ長さを調節するものが知られている。
【０００３】
しかし、毛髪の刈り高さを調節するものであり、整髪機能を変更するものではなく、ライン剃りや際剃り等を行う際には使用者に熟練した整髪技術を必要とするものであった。
【０００４】
また、特許文献２に示すようなヘアカッターでは、夫々異なる整髪機能を備えたヘアカッター用のアタッチメントを複数個設けて、整髪内容に合わせてアタッチメントをヘアカッターから着脱・交換することで、使用者に整髪技術を要することなく、様々な整髪条件に対応したものもあった。
【０００５】
しかし、複数のアタッチメントを保管するスペースが必要なだけでなく、整髪機能を変更する毎にアタッチメントをヘアカッターから交換する必要が有るため、交換時に取り外したアタッチメントを紛失する等の問題があった。
【特許文献１】特開平０９−２５３３５６号
【特許文献２】実開平０６−０３１６６１号
【発明の開示】
【発明が解決しようとする課題】
【０００６】
そこで、本発明は上記問題に鑑みてなされたもので、一つのアタッチメントに複数の整髪部を備えると共に、アタッチメントをヘアカッターから取り外すことなく切替可能としたことで、整髪機能の変更を容易に行うことができ、且つ整髪部の切替時に紛失の恐れが無いヘアカッター用のアタッチメントを提供することを目的とする。
【課題を解決するための手段】
【０００７】
上記課題を解決するために、所定の幅で毛髪を切断する刃部１２を本体１１の一端に有するヘアカッター１に装着するヘアカッター１用のアタッチメント２であり、上記アタッチメント２は、刃部１２の一部を覆い刃部１２への毛髪の導入量を調節する複数の整髪部２４と、上記整髪部２４の切替を行う切替部２２と、を備えたものであり、上記切替部２２が上記ヘアカッター１の本体１１からアタッチメント２および整髪部２４を取り外すことなく上記整髪部２４の切替を行うものであることを特徴としている。
【０００８】
このように構成することで、複数の整髪部２４に対してアタッチメント２を設ける必要がなくなり、アタッチメント２を交換および着脱を行うことなく切替部２２による切替のみで整髪条件の変更を行うことができるようになる。
【０００９】
また、アタッチメント２が切替部２２により回転する一つのアタッチメント部材２３を備えており、上記アタッチメント部材２３に複数の整髪部２４が設けてあり、上記アタッチメント部材２３が切替部２２により回転することで整髪部２４の切替を行うものとすれば、切替部２２を回転させるだけで、整髪部２４の切替を行え、整髪部２４の変更を容易に行うことができるようになる。
【００１０】
また、切替部２２がヘアカッター１の本体１１に直交する回転軸２２１を有しており、前記アタッチメント部材２３が上記回転軸２２１の軸周りに回転することで整髪部２４の切替を行うものとすれば、本体１１を把持した際に親指で切替部２２を操作でき、整髪部２４の変更を片手で容易に行うことができるようになる。
【００１１】
また、アタッチメント部材２３が外周の各辺に夫々整髪部２４を有する多角形状のものとすれば、整髪部２４の刃部１２への位置決めが容易になり、切替時の整髪部２４の調節を容易に行うことができるようになる。
【００１２】
また、アタッチメント２が切替時の整髪部２４の位置決めおよび整髪部２４の保持を行う保持部２５を備えたものとすれば、整髪部２４の切替が容易になると共に、切替部２２の誤動作を防止することができるようになる。
【００１３】
また、アタッチメント２が刃部１２を覆っている整髪部２４以外の残りの整髪部２４を覆うカバー部材２７を備えたものとすれば、整髪に用いていない残った整髪部２４の破損を防止すると共に、切替部２２による切替時に使用者の整髪部２４への接触を防止することができるようになる。
【００１４】
また、アタッチメント２が毛髪切断時および切替部２２による切替時に係る応力で整髪部２４が本体１１および刃部１２へ接触することを防止するリブ２６を備えたものとすれば、整髪部２４と刃部１２あるいは整髪部２４と本体１１の間隔が一定に保たれるため、毛髪切断時および上記切替時に、刃部１２あるいは本体１１側へ向かって整髪部２４に応力が加わっても、リブ２６により整髪部２４の移動が抑えられて、整髪部２４が刃部１２あるいは本体１１に接触することを防止できるようになる。
【発明の効果】
【００１５】
上記のように、本発明のヘアカッター用のアタッチメントは、複数の整髪部を一つのアタッチメントに切替部を介して切替自在で設けたことにより、切替部による切替のみで容易に整髪部を変更することができると共に、替えアタッチメントの保管スペースが不要になり、他の整髪部を備えたアタッチメントへの交換等のアタッチメントの取り外しを行うことなく整髪部の変更を行え、アタッチメントの紛失を防止することができる。
【発明を実施するための最良の形態】
【００１６】
以下、本発明の実施形態の一例を説明する。
【００１７】
本実施形態におけるヘアカッター１は、図１および図２に示すように、片手で把持可能な把持部を備えた本体１１と、本体１１の長手方向の一端に設け長手方向に直交する幅方向に毛髪を切断する切断領域を備えた刃部１２と、からなるものである。そして、上記刃部１２の切断領域の一部を覆い刃部１２への毛髪の導入を調節する整髪機能を複数種有するアタッチメント２が本体１１に着脱自在で取り付けてある。なお、刃部１２の幅方向の端部側に位置する図中の符号２１２がアタッチメント２を本体１１に着脱自在とする着脱部である。以下、長手方向の刃部１２側を上方、他端側を下方とすると共に、幅方向および長手方向に直交する方向を前後方向とし、刃部１２が向いた側を前方、逆側を後方とし、且つ幅方向を左右方向とする。
【００１８】
上記アタッチメント２は、図３および図４に示すように、ヘアカッター１への着脱部２１２を左右に備えた基部２１と、整髪機能の夫々異なる四つの整髪部２４が延設されたアタッチメント部材２３と、アタッチメント部材２３を基部２１に対して回転自在とする回転軸２２１を有する整髪部２４の切替を行う切替部２２と、アタッチメント部材２３に係脱自在で切替時の位置決めおよび保持を行う保持部２５と、整髪部２４の一つが露出する開口部２７１を備え且つ他の整髪部２４の前方を覆うカバー部材２７と、からなるものである。
【００１９】
上記基部２１は、上下方向に開口した筒形状のものであり、刃部１２側から本体１１に嵌めて基部２１の内側の空間に本体１１が位置することで、ヘアカッター１にアタッチメント２が装着されるものである。そして、ヘアカッター１に装着した際に、前方側に位置する前面２１１は略板状の平面となっている。
【００２０】
上記アタッチメント部材２３は、図５に示すように、ヘアカッター１の本体１１にアタッチメント２を取り付けた状態で前方から視て略方形状の板材で形成されており、各辺の幅は刃部１２の幅と略同じとなっている。そして、上記板材は、略中央に切替部２２の回転軸２２１が挿入される貫通孔２３１、詳しくは回転軸２２１と略同じ径で方形の対角線の交点に孔の中心を有する貫通孔２３１、を備えると共に、板材の外周の四辺に夫々刃部１２を覆う領域が異なる整髪部２４が一つ延設されている。なお、上記アタッチメント部材２３は方形状にのみ限定するのではなく、三角形状や五角形状等でもよく、本発明を実施可能とする形状であれば、適宜設計変更可能である。
【００２１】
また、切替部２２は、図３および図６に示すように、基部２１の前面２１１に略直交する方向に沿って軸心を有して軸周りに回転自在で基部２１に取り付けられた回転軸２２１と、アタッチメント部材２３を回転軸２２１に係止する係止具２２２と、からなるものである。上記回転軸２２１の基部２１の前面２１１に略直交する方向とは、アタッチメント２を本体１１に装着した際に刃部１２と把持部の間の本体１１の前面に直交する方向であり、詳しくは、刃部１２の幅方向および本体１１の長手方向の両方向に対して直交する方向である。
【００２２】
これにより、基部２１に対してアタッチメント部材２３が上記軸周りに回転自在となり、該回転により整髪部２４の切替が行われる。詳しくは、一つの整髪部２４が毛髪の刃部１２への導入を調節する刃部１２の一部を覆う所定の位置にある状態からアタッチメント部材２３を回転軸２２１の軸周りに略９０度回転させる毎に、他辺の整髪部２４が刃部１２側に移動して、整髪部２４の切替が行われるものである。なお、切替部２２は上記例示のみに限定するものではなく、基部２１に回転軸２２１を固定し回転軸２２１に対してアタッチメント部材２３を回転自在としてもよく、本発明を実施可能とする構成であれば適宜設計変更可能である。
【００２３】
また、切替部２２による切替時に整髪部２４の位置決めおよび保持を行う保持部２５は、図４および図６に示すように、両端部を基部２１に係止され且つ上記回転軸２２１の軸心に向かって突出した凸部２５１を略中央に備えた板形状の弾性体、例えば、板ばね、と、アタッチメント部材２３の背面、詳しくは、基部２１に取り付けた際に基部２１側を向く面の貫通孔２３１の周りに設けた各整髪部２４に向けて凹んだ四つの凹部２３２を有する被係合部と、からなるものである。
【００２４】
そして、上記凸部２５１と上記凹部２３２は係脱自在となっており、切替部２２によりアタッチメント部材２３が回転した際に、整髪部２４の一つが上記所定の位置に来ると凹部２３２の一つと凸部２５１とが係合して、整髪部２４の位置決めが行われる。詳しくは、切替部２２を介してアタッチメント部材２３を回転させると、いずれかの整髪部２４が所定の位置に来る毎に凸部２５１と凹部２３２の係合が行われるため、所定の位置で係合により回転が抑制されるものである。
【００２５】
更に、凸部２５１と凹部２３２の離脱および係合が整髪部２４の切替を行う毎に繰り返されるため、保持部２５の係脱に伴う負荷の変化から、切替操作が使用者に対して一定のクリック感を与えるものとなっている。
【００２６】
また、上記係合により整髪部２４が所定の位置で保持されるため、使用者がアタッチメント部材２３を回転させない限り整髪部２４が切り替わることがなくなり、切替部２２の誤動作を防止することができる。なお、例示では保持部２５の構造が簡素になるため位置決めおよび保持の両機能を一体とする構成としたが、位置決めと保持とに夫々異なる機構を用いたものとしてもよく、本発明を実施可能とする構成であれば適宜設計変更可能である。
【００２７】
また、アタッチメント部材２３に延設された四つの整髪部２４は、図５に示すように、櫛状に切断領域を覆う第１の整髪部２４１（２４）と、刃部１２の露出する開口部を辺の略中央に一つ有する第２の整髪部２４２（２４）と、辺の一端を切り欠いた第３の整髪部２４３（２４）と、第３の整髪部２４の切り欠きに繋がる側の端部を切り欠いた第４の整髪部２４４（２４）と、の刃部１２の切断領域が夫々異なるものである。
【００２８】
詳しくは、第１の整髪部２４１は後方側に傾斜し且つ刃部１２の切断領域を櫛状に覆う形状となっており、一定の刈り高さで梳き刈りを容易に行うことができるものである。そして、第２の整髪部２４２は後方側に傾斜し且つ所定の幅で切断領域の幅方向の略中央を露出させる形状となっており、ライン剃りを容易に行うことができるものである。更に、第３の整髪部２４３および第４の整髪部２４４は後方側に傾斜し且つ刃部１２の幅方向の切断領域の一端を所定の幅で露出する形状となっており、髭の手入れや襟足等の際剃りを容易に行うことができるものである。また、第３の整髪部２４３と、第４の整髪部２４４と、では露出する端部が夫々異なる構成となっており、左右対称に際剃りを行う際に無理な姿勢での際剃りを行う必要の無いものとなっている。なお、本発明の整髪部２４は上記例示の四種にのみ限定するのではなく、ライン剃り用の溝が複数あるものや辺の両端に切り欠きを有するもの等でもよく、刃部１２の切断領域を覆うことで整髪機能を有するものであれば適宜採用可能である。
【００２９】
従って、異なる整髪機能への切替をアタッチメント部材２３の回転のみで行えるため、他の整髪部２４を備えたアタッチメント２への交換等のアタッチメント２の取り外しを行うこと無く、片手で整髪機能の切替を容易に行えると共に、アタッチメント２の紛失を抑制したものとなっている。そして、一つのアタッチメント２に複数の整髪部２４を設けたことにより、アタッチメント２の保管スペースの増加を抑えると共に、ライン剃りや際剃り等の整髪条件での毛髪の切断に特に技術を必要とせずに整髪部２４の切替のみで容易に行うことができる。なお、本実施形態では特に図示しないが、切替部２２には基部２１の前面２１１に沿って平行に且つ上方に向けてアタッチメント部材２３をスライドさせるスライド機構を備えており、切替時にアタッチメント部材２３を上方にスライドさせた状態で回転させることで回転時に整髪部２４が刃部１２、特に刃部１２の幅方向の端部に干渉することを避ける構成となっている。
【００３０】
また、前記基部２１の前面２１１は板状で薄いため、毛髪切断時および切替部２２による切替時、詳しくは、毛髪の切断対象に整髪部２４を当接して毛髪の切断を行った時あるいはアタッチメント部材２３の前面に指を当接して回転させた時に刃部１２と整髪部２４とが接触する恐れから、アタッチメント部材２３と基部２１の前面２１１とを所定の間隔で前後方向に離すことで、刃部１２と整髪部２４との前後方向の間に一定の隙間を形成して接触の恐れをなくしている。
【００３１】
そして、上記アタッチメント部材２３と基部２１の前面２１１との前後方向の間には、図４および図６に示すように、リブ２６が切替部２２の回転軸２２１と中心を同じくする弧形状で且つ回転軸２２１より外周に位置して上記前面２１１の左右および下方側に夫々設けてあり、アタッチメント部材２３を基部２１に支持している。
【００３２】
これにより、アタッチメント部材２３が毛髪切断時あるいは切替部２２による切替時に後方側に応力が加わっても、後方側へアタッチメント部材２３が移動することを抑制して、整髪部２４の刃部１２および本体１１への接触を防ぎ、整髪部２４および刃部１２の破損を防止すると共に、切替部２２の切替動作、例えばアタッチメント部材２３の回転に不具合が生じることを防止している。なお、リブ２６は上記例示の形状に限定するのではなく、本発明の上記作用効果を有する構成であれば、適宜設計変更可能である。
【００３３】
また、前記アタッチメント２は、図３に示すように、前方から視て略Ｕ字形状のカバー部材２７を備えており、上記カバー部材２７は、四つの整髪部２４のうち、刃部１２側に位置した整髪部２４を除き、他の三つの整髪部２４を覆っている。詳しくは、刃部１２側に位置する整髪部２４からアタッチメント部材２３の上記整髪部２４の反対側に位置する他方の整髪部２４の延設された辺、例えば第１の整髪部２４１が刃部１２側にある場合に第３の整髪部２４３として傾斜する位置より上方側、までを上方および前方に露出した開口部２７１を備えると共に、左右側および下方側に位置した三つの整髪部２４の前面側を覆う略Ｕ字形状のものである。
【００３４】
これにより、アタッチメント２あるいはヘアカッター１の取り落とし等による衝撃から整髪部２４を保護して破損を防止すると共に、切替時に整髪部２４に使用者の指が接触して怪我を生じる恐れを防止することができる。そして、他方の整髪部２４が延設された辺までを前方に露出させたことで、整髪部２４を変更するためにアタッチメント部材２３を回転させる際に、カバー部材２７に邪魔されることなく使用者が切替操作を行うことができるものとなっている。なお、カバー部材２７は、他方の整髪部２４が延設された辺までとせずに切替部２２まででもよく、切替部２２による整髪部２４の切替等の本発明の作用効果を阻害しないものであれば適宜設計変更可能である。
【図面の簡単な説明】
【００３５】
【図１】本発明の実施形態のヘアカッター用のアタッチメントをヘアカッターに装着した状態の説明図である。
【図２】同上の斜視図であり、（ａ）がアタッチメント無しの図であり、（ｂ）がアタッチメント有りの図である。
【図３】同上のアタッチメントの説明図であり（ａ）が斜視図であり、（ｂ）が側面図であり、（ｃ）がＡ−Ａ断面図であり、（ｄ）が切替動作中の斜視図である。
【図４】同上のアタッチメントの基部の説明図である。
【図５】本実施形態のアタッチメント部材の背面の説明図である。
【図６】図３のＢ−Ｂ断面を前方から見た状態の説明図である
【符号の説明】
【００３６】
１  ヘアカッター
２  アタッチメント
２１  基部
２２  切替部
２３  アタッチメント部材
２４  整髪部
２５  保持部
２６  リブ
２７  カバー部材
【図１】
2010131267.tif 000003
【図２】
2010131267.tif 000004
【図３】
2010131267.tif 000005
【図４】
2010131267.tif 000006
【図５】
2010131267.tif 000007
【図６】
2010131267.tif 000008